(57)【要約】  【課題】  記録されているプログラムの内容のダイジェストを指定し、ダイジェストの再生を可能とする。  【解決手段】  ID1が(84ｈ)のパックにダイジェスト管理情報が記録される。最初のパックには、第１番目の曲のダイジェストが記録されているため、ID2が(01h)とされ、また、第１番目の曲では、１個のダイジェストが存在するので、ID3が(11h)とされる。ID3の上位側の４ビットはダイジェスト情報の有無と対応して、０（ダイジェスト情報無し）または１（ダイジェスト情報有り）とされ、その下位側の４ビット（１〜Ｆの値をとりうる）によってダイジェストの総数が示される。ID4がパック番号を示す。ID4のあとの３個のテキストバイトtext１、text２およびtext３により、ダイジェストのスタートアドレスが指示され、その後の３個のテキストバイトtext４、text５およびtext６により、ダイジェストのエンドアドレスが指示される。【選択図】    図１４
2004342312.tif 000002
【特許請求の範囲】
【請求項１】
少なくとも一つのプログラムが記録されたプログラム領域と、
上記プログラム領域に記録されている総プログラム数と、各プログラムの記録位置と、少なくとも一つのプログラムに対応する映像および／または音声であるダイジェスト情報の記録媒体上の位置を示すダイジェスト管理情報とが記録された管理領域とが別々の領域として形成された記録媒体。
【請求項２】
請求項１に記載の記録媒体において、
上記管理領域には、所定の長さの記録情報を所定の数集めて完結するデータ構造でもってデータが記録されていることを特徴とする記録媒体。
【請求項３】
少なくとも一つのプログラムが記録されたプログラム領域と、
上記プログラム領域に記録されている総プログラム数と、各プログラムの記録位置と、少なくとも一つのプログラムに対応する映像および／または音声であるダイジェスト情報の記録媒体上の位置を示すダイジェスト管理情報とが記録された管理領域とを記録媒体上に別々の領域として形成する記録方法。
【発明の詳細な説明】
【技術分野】
【０００１】
この発明は、オーディオデータ、ビジュアルデータ等の主たるディジタルデータに付属してサブコードが記録されている記録媒体例えばディジタルオーディオ用ＣＤおよびこの記録媒体を作成する記録方法に関する。
【背景技術】
【０００２】
音楽情報が記録されたＣＤ（コンパクトディスク）を再生するＣＤ再生装置において、使用上の便宜を図るため、ディスク再生情報に基づく各種表示がなされている。その一は、後述のＱチャンネルサブコードにモード１として記録されている楽章番号いわゆるトラック番号や各トラック番号に割り当てられた時間情報を再生して表示するものである。
【０００３】
図１７に示すように、ＣＤ１０１は中央に孔１０２を有し、その内周から外周に向かって、ＴＯＣ（table Of contents)  データが記録されたプログラム管理領域である、リードイン（lead in ）領域１０３と、プログラムデータが記録されたプログラム領域１０４と、プログラム終了領域、いわゆるリードアウト（lead out）領域１０５とが形成されている。音楽情報を記録した音楽再生用ＣＤにおいては、プログラム領域１０４に音楽データが記録され、この音楽データの時間情報等がリードイン領域１０３で管理される。また、ＣＤ再生装置によるプログラム領域１０４内の音楽データの読み出しが終了して、リードアウト領域１０５にピックアップが到達したときに、ＣＤ再生装置がＣＤの再生動作を終了する。
【０００４】
図１８は、ＣＤ再生装置の一例を示す。このＣＤ再生装置は、例えばＣＤ１０１の音楽データをピックアップ１１２にて読み出し、この音楽データをディジタル信号処理回路１１６にて処理して得られる再生データを、ディジタル信号出力端子１２５、またはアナログ信号出力端子Ｒ、Ｌから出力するものである。
【０００５】
ピックアップ１１２は、対物レンズ等の光学素子、半導体レーザ、ＣＤ１０１からの戻りビームを受光する４分割ディテクタ等を有する。４分割ディテクタの出力信号が演算されることによって、ＲＦ信号、フォーカスエラー信号、トラッキングエラー信号が形成される。ＲＦ信号がアナログ波形整形回路１１４に供給され、フォーカスエラー信号がフォーカスサーボ回路１２０に供給され、トラッキングエラー信号がトラッキングおよびスレッドサーボ回路１２１に供給される。
【０００６】
アナログ波形整形回路１１４は、ピックアップ１１２からのＲＦ信号の波形を整形して、その出力が同期検出回路１１５およびクロック生成回路１１７に供給される。クロック生成回路１１７は、アナログ波形整形回路１１４からのＲＦ信号に基づいて、このＲＦ信号と同期した再生クロックを生成して、この再生クロックを同期検出回路１１５と、ディジタル信号処理回路１１６と、回転サーボ回路１２２に供給する。同期検出回路１１５は、クロック生成回路１１７から送られる再生クロックに基づいて、ＲＦ信号からフレーム同期パターンを検出し、このフレーム同期パターンの検出信号をディジタル信号処理回路１１６に供給する。
【０００７】
ディジタル信号処理回路１１６は、同期検出回路１１５を介されたＲＦ信号の再生処理を行う。より具体的には、ＥＦＦ変調の復調、エラー訂正符号の復号、エラーの補間等の処理がディジタル信号処理回路１１６においてなされる。この処理のために、クロック生成回路１１７からの再生クロックと、水晶発振器１１９から送られる基準クロックとが使用される。また、ディジタル信号処理回路１１６から取り出された左右のチャンネルのディジタルオーディオ信号がディジタル出力端子１２５に取り出されると共に、Ｄ／Ａ変換器１２３に供給され、アナログ信号へ変換される。オーディオアンプ１２４は、Ｄ／Ａ変換回路１２３からのアナログオーディオ信号を増幅して、アナログ信号出力端子Ｒおよび端子Ｌに出力する。
【０００８】
ディジタル信号処理回路１１６に対してサブコード検出回路１１８が接続される。サブコード検出回路１１８は、ディジタル信号処理回路１１６からのデジタル信号から、後述するサブコードのＰチャンネルおよびＱチャンネルのデータを検出し、各チャンネルのデータをトラッキングおよびスレッドサーボ回路１２１に供給する。
【０００９】
フォーカスサーボ回路１２０からのフォーカスエラー信号がピックアップ１１２に供給され、ピックアップ１１２の対物レンズのフォーカス位置がＣＤ１０１の信号面と合致するように、フォーカスサーボがなされる。回転サーボ回路１２２は、クロック生成回路１１７からの再生クロックおよび水晶発振器１１９からの基準クロックに基づいて回転駆動制御信号を発生し、この回転駆動制御信号をスピンドルモータ１１３に送り、スピンドルモータ１１３の回転動作を制御する。
【００１０】
トラッキングおよびスレッドサーボ回路１２１は、ピックアップ１１２からのトラッキングエラー信号に基づいてトラッキング制御駆動信号を発生し、このトラッキング制御駆動信号をピックアップ１１２に供給し、ピックアップ１１２のトラッキング動作を制御する。これと共に、ピックアップ１１２をＣＤ１０１の半径方向にスレッドさせる送り装置を駆動する制御信号を発生する。例えばＰチャンネルおよびＱチャンネルからのデータに基づいてトラック位置制御信号を発生し、このトラック位置制御信号をピックアップ１１２の送り装置に供給し、例えばプログラミングモード時におけるピックアップ１１２のトラック位置を制御する。
【００１１】
ここで、サブコードおよびＰチャンネルおよびＱチャンネルのデータについて説明する。ＣＤに記録される信号は、１サンプルあるいは１ワードが１６ビットで、４４．１ｋＨｚのサンプリング周波数でサンプリングされる。このサンプリングされたデータは、１サンプルあるいは１ワード１６ビットが上位８ビットと下位８ビットに分割されてそれぞれシンボルとされ、このシンボル単位で誤り訂正符号化処理やインターリーブ処理が施され、オーディオデータの２４シンボル毎に１つのフレームにまとめられる。これは、ステレオ左右チャンネルの各６サンプル分に相当する。
【００１２】
８−１４変調により、各シンボルの８ビットが１４ビットへ変換される。８−１４変調後の１フレームのデータ構造を図１９に示す。１フレーム１３５は、２４チャンネルビットの同期パターンデータ領域１３１と、１４チャンネルビットのサブコード領域１３２と、１２シンボルのプログラムデータＤ１からＤ１２を含むプログラムデータ領域１３３と、４シンボルのパリティデータＰ１からＰ４から成るパリティデータ領域１３４と、別のプログラムデータ領域１３３およびパリティデータ領域１３４とからなる。また、各領域、あるいはデータ部分を接続するために、各部分に対して３チャンネルビットの結合ビットが配される。従って、１フレーム１３５は、合計５８８チャンネルビットのデータを含む。
【００１３】
さらに、９８個のフレーム１３５を集めて、このフレーム１３５の各領域およびデータ部分が縦方向に連続するように並べ換えたものを図２０に示す。この図２０に示される９８フレームの周期は、サブコードが完結する単位であって、サブコードフレームと称される。このサブコードフレームは、フレーム同期パターン部１３６と、サブコード部１３７と、データおよびパリティ部１３８とから成る。なお、このサブコードフレームは、ＣＤの再生時間の１／７５秒に相当する。
【００１４】
ここで、図１８中のサブコード検出回路１１８から送られるＰチャンネルおよびＱチャンネルのデータを含むサブコードデータは、図２０中のサブコード部１３７に記録されているデータである。また、このサブコード部１３７のサブコードフレームのデータの構成の詳細を図２１に示す。先頭のフレームＦ０１、フレームＦ０２は、サブコードフレームの同期パターンＳ０、Ｓ１である。この同期パターンは、フレーム同期パターンと同様に、８−１４変調方式（eight to fourteen modulation: ＥＦＭ）のアウトオブルール（out of rule ）のパターンである。なお、図１８中のサブコード検出回路１１８は、この同期パターンを検出し、サブコードフレームの区切りを検出する。さらに、１シンボルの８ビットの各ビットは、それぞれサブコードのＰチャンネルからＷチャンネルを構成する。例えば、Ｐチャンネルは、Ｓ０、Ｓ１のそれぞれ一部と、Ｐ０１からＰ９６とで構成される。
【００１５】
サブコードのＰチャンネルは、曲の有無に対応した情報を有し、Ｑチャンネルには、ＣＤ上の絶対時間情報、各プログラムの時間情報、曲番号（トラック番号とも称される）、楽章番号（インデンクスとも称される）等の情報が含まれる。従って、Ｑチャンネルに含まれる情報によって、曲の頭だし等の再生動作の制御が可能であり、また、Ｑチャンネルの情報を表示することによって、演奏中の曲が音楽再生用光ディスクの何曲目であるのか、演奏の経過時間や始めからの絶対時間等を視覚で確認できる。さらに、サブコードのＲチャンネルからＷチャンネルまでの６チャンネル分のデータは、例えば静止画や、曲の歌詞の表示等に用いられている。
【発明の開示】
【発明が解決しようとする課題】
【００１６】
ＣＤ再生装置の操作性を向上するために、ＣＤに記録されている内容を短時間の内に確認する機能を装備することがなされている。より具体的には、各曲の先頭の部分（例えば１５秒間）を次々に自動的に再生する機能（市販のＣＤプレーヤでは、イントロスキャン、ミュージックスキャン等と呼ばれている）である。この機能によって、ユーザがそのＣＤに記録されている曲を直ちに知ることができる。
【００１７】
このようなＣＤ再生装置の動作モードは、ＣＤのＴＯＣデータを利用して実現されている。すなわち、ＣＤのプログラム管理領域（リードイン領域１０３）にＴＯＣデータとして、各曲の開始アドレス、終了アドレス、最初の曲番号、最後の曲番号等が記録されている。このＴＯＣデータは、ＣＤの装着時に再生装置により読み取られ、装置内部のメモリに記憶される。従って、ＴＯＣデータにより指示される曲の開始アドレスへのピックアップの位置を移動と、その後の所定時間の再生動作とを繰り返すことによって、上述の動作モードが実現される。しかしながら、かかる機能は、各曲の先頭部分のみを再生するものであって、ユーザが曲の内容あるいは特徴を把握することが困難であった。
【００１８】
従って、この発明の目的は、ＣＤ等の記録媒体に記録されているオーディオ／ビジュアル情報をユーザが短時間の内に容易に知ることを可能とする記録媒体および記録方法を提供することにある。
【課題を解決するための手段】
【００１９】
上述した課題を解決するために、この発明の第１の態様は、少なくとも一つのプログラムが記録されたプログラム領域と、
プログラム領域に記録されている総プログラム数と、各プログラムの記録位置と、少なくとも一つのプログラムに対応する映像および／または音声であるダイジェスト情報の記録媒体上の位置を示すダイジェスト管理情報とが記録された管理領域とが別々の領域として形成された記録媒体である。
【００２０】
この発明の第２の態様は、少なくとも一つのプログラムが記録されたプログラム領域と、
プログラム領域に記録されている総プログラム数と、各プログラムの記録位置と、少なくとも一つのプログラムに対応する映像および／または音声であるダイジェスト情報の記録媒体上の位置を示すダイジェスト管理情報とが記録された管理領域とを記録媒体上に別々の領域として形成する記録方法である。
【発明の効果】
【００２１】
この発明に係る記録媒体によれば、記録媒体のプログラム管理領域（例えばＣＤのＴＯＣ）に、各プログラムに対応する付随情報として、各プログラムのダイジェストが記録されているアドレスを管理する情報を記録することができ、プログラム領域を減少させることなく、ダイジェストを管理することができる。
【発明を実施するための最良の形態】
【００２２】
以下、この発明に係る記録媒体および再生装置の一実施例について、図面を参照しながら説明する。一実施例では、記録媒体としてＣＤを使用しているが、これに限らず、他の種類の光ディスク（例えばＤＶＤ（ディジタル・ビデオ・ディスク）、磁気テープ、光テープ、半導体メモリ等に対してもこの発明を適用することができる。また、記録媒体に記録されている情報は、オーディオデータに限らず、ビデオデータ等であっても良い。
【００２３】
図１は、この一実施例におけるＣＤのサブコードのデータ構造を示す。この図１に示すサブコードは、プログラム管理領域に記録されるＴＯＣデータの一部として記録される。既存のＣＤの場合では、Ｑチャンネルのサブコードの１フレーム内の７２ビットのデータを使用して、総プログラム（曲）数と、各プログラムの記録位置とが管理される。より具体的には、００〜９９までの値の楽章のそれぞれが開始するアドレス（絶対時間）と、最初の楽章番号と、最後の楽章番号と、リードアウトが始まるアドレスとが記録されている。このＱチャンネルのサブコードに加えて、図１に示すようなＲチャンネル〜Ｗチャンネルで構成されるデータがＴＯＣデータとして記録されている。
【００２４】
Ｒ〜Ｗチャンネルからなるデータの先頭の２フレームは、同期パターンＳ０、Ｓ１である。残りの９６フレームには、それぞれが６ビットのシンボルが９６シンボル含まれる。この９６シンボルが２４シンボルずつに分割される。この２４シンボルを１パックと称し、４パックを１パケットと称する。
【００２５】
各パックの先頭位置にそのパックに記録される情報の記録モードを設定するモード情報と、テキスト情報の種類を示す識別情報を有するＩＤ１とその他の識別情報を有するＩＤコード（ＩＤ２、ＩＤ３およびＩＤ４）を含む計２４ビットのＩＤコードが記録されるＩＤ領域１が配置される。このＩＤ領域１の後に、８ビット単位で主データに付随するテキスト情報が記録されるテキスト領域２が配される。さらに、各パックに、誤り検出符号として、巡回符号（ＣＲＣ：cyclic redundancy code）による誤り検出を行うための１６ビットのデータが記録されるＣＲＣ領域３が配される。
【００２６】
この発明によるＲ乃至Ｗチャンネルのサブコードの説明に先立ち、既存のグラフィック情報をＣＤへ記録する際のデータフォーマットについて説明する。図２Ａは、図２１に示したサブコード部１３７の構造を模式的に示す図である。サブコードは、８ビットで形成され、このサブコードを形成するビット群は、Ｐ、Ｑ、Ｒ、Ｓ、Ｔ、Ｕ、Ｖ、Ｗの８チャンネルに分割されている。また、サブコード部１３７は、Ｐ乃至Ｗチャンネルから構成されるフレームが９８フレーム集めたものである。
【００２７】
最初の２フレームは、同期パターンであり、第３番目のフレームから第９８番目のフレームまでは、Ｐチャンネルのデータのみから成るサブコードＰと呼ばれるブロック１２、Ｑチャンネルのデータのみから成るサブコードＱと呼ばれるブロック１３、Ｒ乃至Ｗチャンネルのデータのみから成るブロック１１が含まれている。
【００２８】
画像情報をサブコードとして記録し再生する方式においては、図２Ｂに示すように、Ｒ乃至Ｗチャンネルの６ビットで１シンボルを形成し、データ最小単位を０〜２３の２４個のシンボルで形成されるパックとしている。すなわち、ブロック１１が４個のパックに分割される。パックを形成する２４シンボルの内、最初のシンボル（以下シンボル０という）は、ＭＳＢ（most significant bit）側から３桁がモードを示し、ＬＳＢ（least significant bit ）側から３桁がアイテムを示す。このモードおよびアイテムを示すシンボル０に続くシンボル１は、命令の種類を示すインストラクションである。インストラクションに続くシンボル３およびシンボル４は、誤り訂正符号であるパリティＱである。このパリティＱに続くシンボル４からシンボル１９までの各シンボルは、データフィールドを形成し、色情報等を含む。データフィールドに続くシンボル２０からシンボル２３までの各シンボルはパック内の情報を保護するための誤り訂正符号であるパリティＰである。
【００２９】
モードには、ゼロモード、ライングラフィックスモード、ＴＶグラフィックスモードおよびユーザモードの４種類のモードが存在する。ゼロモードは、例えば表示画面に対して何らの操作も行わないモードである。すなわち、画像をそのままにしておきたいときのためのモードであり、パック内のデータは全て０である。ライングラフィックスモードは、例えばプレーヤの前面に液晶ディスプレイ等を設けて曲の説明文等を表示するためのモードである。
【００３０】
また、画像処理命令としては、例えば画面全体をある色でぬりつぶす命令、画面状の１フォントに２種類の色を使用して絵を描く命令、画面全体を縦方向又は横方向に移動させる命令等がある。
【００３１】
上述したように、グラフィックス情報をサブコード中に挿入する既存の方法（ＣＤグラフィックス）では、Ｒ乃至Ｗチャンネルのデータを処理するためには、専用の処理回路が必要であり、また、パリティＰおよびパリティＱを用いた誤り訂正方法が複雑なので、処理回路は複雑である。そのため、既存の方法は、Ｒ乃至Ｗチャンネルのサブコードを利用して単にテキスト情報を記録し再生する用途では不適当であった。
【００３２】
そこで、この発明の一実施例では、Ｒ乃至Ｗチャンネルを利用するために、より簡単な処理回路で実現できるようにしたものである。図３Ａは、図１で示したデータフォーマットをシリアルデータとして示す。図３Ａに示すように、先頭から３２ビットのデータ（図３Ａでは、２４ビットのみ示す）をバイト毎のデータに区切り、これらのバイトを識別用のＩＤ１、ＩＤ２、ＩＤ３、ＩＤ４に対して割り付け、ＩＤ領域１を形成する。その後のテキスト領域２もバイト単位のデータに区切られる。このようなバイト単位の処理によって、Ｑチャンネルの信号の処理方法で処理することが可能になり、簡単な処理回路の構成とできる。
【００３３】
また、図２Ａに示したデータフォーマットでは、パリティＰおよびパリティＱを用いた誤り訂正符号が用いられているのに対して、この発明の一実施例におけるデータフォーマットでは、ＣＲＣによる誤り検出符号を用いて誤りを検出するのにとどめ、誤りが検出されると再度データを読み出すようにしている。このため、データは、ＴＯＣ内で、パック毎に例えば４重書きされ、さらに、一連のデータ列がパケット単位で繰り返し記録されている。このような多重記録によって、誤り訂正のための複雑な回路を省略することができる。
【００３４】
なお、パック単位の多重書きは、４重書きに限らないし、また、多重書きの単位もパック単位に限らず、例えばパケット単位、あるいは数パケットを周期としてこの周期単位で多重書きしてもよい。
【００３５】
また、ＩＤ領域１の先頭のＩＤ１は、図３Ｂに示すように、従来の１シンボルより２ビット多い８ビットで扱うことになる。さらに、既存のＲ乃至Ｗチャンネルのサブコードを復号化する機能を有するＣＤ再生装置に装着してもこの再生装置が誤動作を起こさないように、ＭＳＢから３ビットは、上述のモードと同様のデータを書き込み、且つこの３ビットで示されるモードとしては未定義のコード例えばモード４（“１００”）を割り付ける。こうすることで、既存の再生装置に装着しても認識不可能なモードが検出されるだけなので、再生装置は動作を停止するだけであり誤動作するおそれがない。また、未定義のモードは、モード４の他に、モード５およびモード６があり、モード４の代わりにこれらのモードを用いることもできる。
【００３６】
また、ＩＤ１によりモード４が指示されるこの発明の一実施例では、パック内のデータフォーマットは、図４に示すように、８ビット（１バイト）毎に区切られたＩＤ１、ＩＤ２、ＩＤ３、ＩＤ４と、テキストバイトtext１〜１２と、１２ビットのＣＲＣコードとを含むものである。ＩＤ１は、図５に示すように８ビットの構造を有し、図６に示すように、ＩＤ１とパックで扱われるデータの内容が規定されている。ＩＤ１は、上述したように、モード４を上位側のビットで指示するために、８×ｈ（ｈは１６進数を意味し、×が下位側の４ビットの値を意味する）。
【００３７】
ＩＤ１が（８０ｈ）のパックのデータは、後述するデータサイズである。ＩＤ１が（８１ｈ）のパックのデータはディスクＩＤ、（８２ｈ）がジャンルコードをそれぞれ識別し、（８３ｈ）は、拡張を図ることが可能になるように、リザーブされている。（８４ｈ）は、ダイジェスト情報がそのパックに記録されていることを指示する。さらに、（８５ｈ）がディスクに収録されるアルバム名、（８６ｈ）が楽章毎の曲名を示し、（８７ｈ）が演奏者名を、（８８ｈ）が指揮者名を、（８９ｈ）が演奏グループ名やオーケストラ名を示す。（８Ｂｈ）が作曲者名を、（８Ｃｈ）が作詞家名を、また、（８Ｄｈ）が編曲者名を示す。
【００３８】
ＩＤ２は、図７に示すように、ＭＳＢがコピー制御フラグであり、例えば“０”が立っているとコピー許可で、“１”が立っているとコピー不可であると規定されている。また、残り７ビットはトラック番号を示す。また、ＩＤ３は、図８に示すように、テキスト開始位置コードであり、例えば位置コードの０はジャンルコードを、位置コードの１はトラック番号を、位置コードの２は最初のテキストをそれぞれ示す。
【００３９】
ＩＤ４は、図９に示すように、ＭＳＢより４ビットはキャラクタコードであり、キャラクタコードに続く２ビットは言語コードであり、ＬＳＢ側の２ビットはパック番号である。例えばキャラクタコードで“００００”であるときは１バイトコードのＡＳＣＩＩコードであることを示し、“０００１”であるときは同じ１バイトコードの８８５９−１コードであることを示す。また、“１０００”であるときは、２バイトコードのＭＳ−ＪＩＳコードであることが示される。２ビットのＩＤ４は、例えば“００”が第１言語、“０１”が第２言語、“１０”が第３言語、“１１”が第４言語であると規定され、テキストバイトtext１〜１２で記録される言語を指定する。従って、図４に示すデータ構造においては、テキストバイトtext１から１２までは、ＩＤ４で指定されたキャラクタコードおよび言語でもって、ＩＤ１で示された内容についてのデータが記録されている。
【００４０】
ここで、モード４のデータフォーマットの一例として、ＩＤ１が“８０ｈ”であるパック、すなわち各情報のサイズに関するデータ（以下単にサイズ情報という）を示すパックのデータ構造を図１０に示す。なお、このサイズ情報を示すパックは、１枚のＣＤにつき１個記録される。図１０において、識別コードとして、ＩＤ１およびＩＤ４が付加される。これら識別コードとＣＲＣコードとの４バイトを除く残りの１４バイト（１１２ビット）ｓ１〜ｓ１４は、図１１に示すようにデータが規定される。このデータは、そのＣＤ内に記録されるデータの記録マップである。
【００４１】
バイトｓ１およびバイトｓ２の２バイトによりデータの内容が規定される。バイトｓ１のＭＳＢ側の２ビットは、リザーブされており、続く２ビットは言語コードである。残りの１２ビットは、全パック数を示す。全パック数の最大値は、４０９６である。
【００４２】
バイトｓ３は、アルバム名のデータに用いられる全パック数を示し、バイトｓ４は、楽章毎の曲名に用いられる全パック数を示す。バイトｓ５は、演奏者名に用いられる全パック数を示し、バイトｓ６は、指揮者名に用いられる全パック数を示し、バイトｓ７は、演奏グループ名やオーケストラ名に用いられる全パック数を示す。バイトｓ８は、作曲者名に用いられる全パック数を示し、バイトｓ９は、作詞者名に用いられる全パック数を示す。バイトｓ１０は、編曲者名に用いられる全パック数を示し、バイトｓ１１は、ディスクＩＤに用いられる全パック数を示す。バイトｓ１２は、ＩＤ１で（８３ｈ）に相当するデータに用いられる全パック数を示す。すなわち、拡張用にリザーブされた部分のデータ量を指示する。バイトｓ１３は、ＩＤ１で（８４ｈ）、すなわち、ダイジェスト情報に用いられる全パック数を示す。最後に、バイトｓ１４は、単にリザーブされたバイトである。
【００４３】
図１２は、モード４のデータフォーマットの他の一例として、ＩＤ１が（８６ｈ）であるパック、すなわち、曲名を示すパックのデータ構造を示す。図１２に示すように、ＩＤ１、ＩＤ２、ＩＤ３、ＩＤ４の識別情報と、テキストバイトtext１から１２までのテキスト情報と、ＣＲＣコードが記録されている。
【００４４】
テキストバイトtext１およびtext２は、トラックオーバーヘッドである。このトラックオーバーヘッドは、各曲名のテキスト情報の先頭部分に設けられる。text１として、バイナリィコードでジャンルコードが記録され、text２として、曲名の番号が記録される。
【００４５】
トラックオーバーヘッドに続くtext３から、各曲名のテキスト情報が始まり、最後にゼロコード（null code ）のテキストバイトにより各曲名の情報が終わる。テキストバイトに２バイトのキャラクタコードを用いた場合は、ゼロコードを２つ連ねて終わることとする。従って、トラックオーバーヘッドは、ゼロコードのバイトに続いて、次のトラックが存在する場合に設けられる。
【００４６】
図１３に上述したＩＤ１が（８６ｈ）であるパックのデータ構造の一例を示す。図１３は、第１曲目の曲名が“ＢＡＤ”、第２曲目の曲名が“ＴＨＥ  ＷＡＹ  ＹＯＵ  ＭＡＫＥ  ＭＥ  ＦＥＥＬ”、第３曲目の曲名が“ＳＰＥＥＤ  ＤＥＭＯＮ”、第４曲目の曲名が“ＬＩＢＥＲＩＡＮ・・・”の例である。
【００４７】
曲名間には、テキストオーバーヘッドとして（１７ｈ）のtext１に相当するテキストバイトと、曲順を示すデータ例えば１曲目の場合（０１ｈ）が記録されたテキストバイトtext２とが設けられる。また、各曲名の最後には（００ｈ）が記録されたテキストバイトが設けられている。
なお、他のテキスト情報についてもこの各楽曲の曲名に関する情報と同様に記録される。
【００４８】
以上の例は、テキスト情報をＴＯＣのサブコードＲ〜Ｗとして記録しておく例であるが、ＩＤ１が（８４ｈ）の場合では、テキスト情報に代えて、ＣＤに記録されている曲のダイジェストが記録されているアドレス例えば絶対時間がサブコードＲ〜Ｗとして記録される。ダイジェストとは、記録されている内容の一部、好ましくは、印象的、特徴的な部分を意味する。他の識別コードに関しては、ＩＤ２が曲番号を示し、ＩＤ３がダイジェストの総数を示し、ＩＤ４がテキスト情報の場合と同様にパック番号を示す。
【００４９】
図１４は、ＩＤ１が（８４ｈ）とされるパック、すなわち、ダイジェスト管理情報が記録されたパックのデータ構造の一例を示す。最初のパックには、第１番目の曲のダイジェストが記録されているため、ＩＤ２が（０１ｈ）とされ、また、第１番目の曲では、１個のダイジェストが存在するので、ＩＤ３が（１１ｈ）とされる。ＩＤ３の上位側の４ビットはダイジェスト情報の有無と対応して、０（ダイジェスト情報無し）または１（ダイジェスト情報有り）とされ、その下位側の４ビット（１〜Ｆの値をとりうる）によってダイジェストの総数が示される。ＩＤ４がパック番号を示す。
【００５０】
ＩＤ４のあとの３個のテキストバイトtext１、text２およびtext３により、ダイジェストのスタートアドレスが指示され、その後の３個のテキストバイトtext４、text５およびtext６により、ダイジェストのエンドアドレスが指示される。このアドレスは、例えばＣＤ上の絶対時間情報であり、テキストバイトの各バイトによって、分（００〜７４の値）、秒（００〜５９の値）、フレーム（００〜７４の値）の各桁の数字が記録される。図１４の例では、第１曲のダイジェストのスタートアドレスが（１分２秒１０フレーム）であり、そのエンドアドレスが（１分４３秒２０フレーム）である。
【００５１】
次のパックおよびさらに次のパックには、第２曲目に関して、例えば３個のダイジェストのアドレスが記録される。（ＩＤ４＝０１ｈ）のパックには、最初のダイジェストのスタートアドレス（１０分２秒２０フレーム）およびエンドアドレス（１０分２０秒１０フレーム）と、第２番目のダイジェストのスタートアドレス（１１分３秒１０フレーム）とそのエンドアドレス（１１分４４秒３０フレーム）とが記録されている。そして、第３番目のパックには、第３番目のダイジェストのスタートアドレス（１２分５０秒４０フレーム）およびエンドアドレス（１３分１０秒２０フレーム）が記録される。
【００５２】
図１４では、以上の部分しか示されていないが、上述と同様にして、他の曲に関するダイジェストのそれぞれのスタートアドレスおよびエンドアドレスがＲ〜Ｗチャンネルのデータとして記録されている。但し、１枚のＣＤに収録されている全ての曲のダイジェストを記録する必要はなく、途中の曲のＩＤ３を（００ｈ）とすることによって、その前の曲までのダイジェスト情報が記録されていることを指示しても良い。
【００５３】
なお、以上のダイジェスト情報をＴＯＣのＲ〜Ｗチャンネルのサブコードに記録する場合、どの部分をダイジェスト情報として抽出するかは、ＣＤの製作者が決定することができ、また、ダイジェスト情報の挿入、非挿入も製作者が決定することができる。また、テキストデータに代えてダイジェスト情報のアドレスデータを記録するデータフォーマットとしては、図１４の例以外に種々の構成が可能である。例えばＩＤ３がその曲のダイジェストの通し番号を規定するようにしても良い。また、各ダイジェストのスタートアドレスまたはエンドアドレスのみを記録し、ダイジェストをこのアドレスを基準とする一定の時間（例えば１５秒間）のものとしても良い。
【００５４】
上述したように、この発明に係る記録媒体例えばＣＤは、主データ（音楽データ）に付随して、ＴＯＣ領域に記録されるサブコードのＲ乃至Ｗチャンネルに対応する６ビットで構成されるシンボルの２４シンボル分を１パックとし、４パック分を１パケットとして、パケット単位でデータが構成され、各パックの先頭位置にそのパックで記録される情報の記録モードを設定するモード情報が記録されるとともに、各パックに書き込まれた情報が８ビット単位で識別情報と、テキスト情報またはダイジェスト情報が記録されたものである。
【００５５】
このようなＣＤを再生する再生装置の一例を図１５に示す。この再生装置は、複数枚のＣＤの中で、オートチェンジャ機能により、選択された１枚のＣＤを再生可能とされている。このチェンジャ機能により選択されたＣＤ４１は、スピンドルモータ４３により回転駆動され、光学ピックアップ４２により記録内容が読み出される。この光学ピックアップ４２からの信号は、ＲＦ信号処理回路４４を介して、ディジタル処理のための信号処理回路４５に供給される。信号処理回路４５からのディジタルオーディオ信号成分は、Ｄ／Ａ変換器４７でアナログのオーディオ信号に変換されて、アナログオーディオ信号出力端子より取り出される。このようなオーディオデータの処理は、従来のＣＤプレーヤと同様である。
【００５６】
また、図１５に示すＣＤ再生装置は、光学ピックアップ４２により読み出した信号から信号処理回路４５にて取り出されたサブコードをＱチャンネルとＲ乃至Ｗチャンネルとに分離するサブコード分離回路５１と、サブコード分離回路５１により分離されたＲ乃至Ｗチャンネルのサブコードのモード情報を取り出すとともに、このモード情報に基づいて記録媒体の種類を識別するディスク識別回路６６と、ディスク識別回路６６の出力に応じて、サブコード分離回路５１から送られるＲ乃至Ｗチャンネルのサブコードを処理するサブコード処理回路５４と、サブコード処理回路５４にて処理される情報の内、テキスト情報を表示するための文字表示部５８とを装備している。
【００５７】
サブコード分離回路５１により、サブコードがＱチャンネルとＲ乃至Ｗチャンネルとに分離され、Ｑチャンネルのサブコードが時間情報処理回路５２に供給され、Ｒ乃至Ｗチャンネルのサブコードがサブコード処理回路５４およびディスク識別回路６６に供給される。時間情報処理回路５２は、Ｑチャンネルで管理される時間情報を時間表示部５３に供給し、時間表示がなされる。
【００５８】
ディスク識別回路６６は、Ｒ乃至Ｗチャンネルに書き込まれたモード情報を抽出し、モード情報に基づいてＣＤの種類が識別される。すなわち、挿入されたＣＤが識別情報とテキスト情報（またはダイジェスト情報）とがＲ乃至Ｗチャンネルに記録されたものか、否かが識別される。ＣＤが、識別情報とテキスト情報（またはダイジェスト情報）とがＲ乃至Ｗチャンネルに記録されたＣＤであると識別されたときは、サブコード処理回路５４に動作入力信号を出力する。また、ＣＤが、上述したＣＤ以外のＣＤ、特にグラフィック情報がＲ乃至Ｗチャンネルに記録されたＣＤである場合、グラフィック処理回路４８に対して動作入力信号を送る。
【００５９】
装着されたＣＤが識別情報とテキスト情報（またはダイジェスト情報）とがＲ乃至Ｗチャンネルに記録されたＣＤである場合、サブコード処理回路５４は、ディスク識別回路６６から動作入力信号を受け付け、サブコード分離回路５１からのＲ乃至Ｗチャンネルを、上述したようなＡＳＣＩＩコード等の所定の変換コードに基づいて処理して得られる各項目の情報、例えばジャンル情報５５ａ、ＩＤ情報５５ｂ、ダイジェスト情報アドレス５５ｃ、アルバム名や演奏者名等の文字情報５５ｄ、サイズ情報５５ｅ等が取り出され、これらが別個に記憶される。
【００６０】
サブコード処理回路５４により分離された文字情報５５ｄは、文字内容分離回路５７に送られ、表示内容スイッチ５６の操作等に応じて表示項目や内容が選択分離され、文字表示部５８に送られて表示される。
【００６１】
サブコード処理回路５４により分離されたジャンル情報５５ａは、いわゆるＣＰＵ等を用いた制御回路６０に送られ、ユーザにより指定されたジャンルのディスクあるいは曲のみ再生するような制御が行われる。この制御回路６０にはＲＡＭ６１が接続されており、ユーザが操作部６２中のジャンルスイッチを操作することで指定されたジャンル情報がＲＡＭ６１に記憶され、この指定されたジャンル情報がサブコード処理回路５４からのジャンル情報５５ａと一致しているか否かの判別がなされ、一致しているときのみサーボ回路６５を制御してディスクの再生動作を行わせる。オートチェンジャタイプでは、ディスクを自動交換しながらジャンルの一致したディスクのみを再生制御するようにして、特定のジャンルのディスクのみを選択再生することができる。
【００６２】
また、サブコード処理回路５４からのＩＤ情報５５ｂは、制御回路６０に送られ、オートチェンジャ機構の動作を効率よく行わせるのに用いられる。さらに、ダイジェスト情報アドレス（スタートアドレスおよびエンドアドレス）５５ｃは、各曲および各ダイジェスト毎に記憶されている。このアドレスを制御回路６０が読み出し、ダイジェストを再生することができる。
【００６３】
また、サブコード処理回路５４からのサイズ情報５５ｅは、ＴＯＣ読み出し待ち時間処理回路６４に送られる。このＴＯＣ読み出し待ち時間処理回路６４は、信号処理回路４５にてＱチャンネルのデータが正常に読み取られたか否かを示すサブＱエラー情報６３と、当該サイズ情報５５ｅとに基づいて、Ｒ乃至Ｗチャンネルの全てを読み出すのに要する時間、すなわち待ち時間を算出し、これを時間表示部５２に送る。この待ち時間表示は、文字表示部５８に行わせてもよい。
【００６４】
なお、装着されたＣＤが図２、図３に示すようなデータ構成を有し、画像情報を含むグラフィックコードと、文字に対応して所定のビットパターンを有する文字コードとが記録されたＣＤである場合、グラフィック処理回路４８は、ディスク識別回路６６から動作入力信号を受け取り、グラフィックコードおよび文字コードを所定の処理を行い表示用データを形成する。グラフィック表示回路４９は、グラフィック処理回路４８からの表示用データから表示信号を形成するとともに、グラフィック出力端子からこの表示信号を出力する。
【００６５】
図１６は、この発明の特徴とするダイジェスト再生動作の概略を示すフローチャートである。図１６中のスタートの状態においては、ＣＤ４１が装着され、そのＴＯＣデータが読み取られ、サブコード分離回路５１によりＱチャンネルのサブコードとＲ〜Ｗチャンネルのサブコードとが分離され、ディスク識別回路６６によって、装着されたＣＤ４１がテキスト情報またはダイジェスト情報がＴＯＣデータとして記録されているいることが既に決定されている。サブコード処理回路５４では、ステップＳ１において、ＩＤ１＝（８４）ｈかどうかが決定される。
【００６６】
ＩＤ１＝（８４）ｈでないならば、次に、処理がステップＳ２へ移り、ＩＤ１＝（８２）ｈかどうかが決定される。若し、そうならば、このＩＤ１に含まれるジャンル情報５５ａが記憶される（ステップＳ３）。ＩＤ１が（８２）ｈでないならば、図示しないが、ＩＤ１が他のコードかどうかが順に決定され、ＩＤ１で識別されるデータ毎に文字情報５５ｄが記憶される。
【００６７】
ステップＳ１において、ＩＤ１＝（８４ｈ）が満たされる場合には、ステップＳ４において、ダイジェスト情報アドレス５５ｃが記憶される。ダイジェスト情報アドレスは、ＣＤ４１の各曲および各ダイジェストのそれぞれと、スタートアドレスおよびエンドアドレスが対応したテーブルとして記憶される。
【００６８】
そして、ステップＳ５では、操作部６２中のダイジェストキーがＯＮされたかどうかが監視される。ダイジェストキーがＯＮされた場合には、制御回路６０がサーボ回路６５を制御して、ｉ番目（初期設定では、ｉ＝１）の曲のダイジェストのスタートアドレスへ読み取りスポットを位置させる頭出し動作がなされる。頭出しが完了すると、このスタートアドレスからダイジェストの再生動作が開始する（ステップＳ７）。ステップＳ８では、再生中の現在アドレスとエンドアドレスとの一致検出がなされ、一致した場合には、次のステップＳ９へ処理が移行する。
【００６９】
ステップＳ９では、そのＣＤの全てのダイジェストの再生が終了したかどうかが決定される。若し、終了した場合には、ダイジェスト再生動作が完了する。この検出のために、例えば、ダイジェストアドレス情報を記憶するテーブルにおいて、最後のダイジェストアドレス情報の次のアドレスに対して、終了を示すフラグ、あるいはコードを記憶するようになされる。全てのダイジェストの再生が完了していないと、ステップＳ９において決定されるならば、ステップＳ１０において、ｉの値が＋１され、そして、ステップＳ６へ戻る。
【００７０】
なお、この図１６に示すフローチャートに限らず、ダイジェスト再生の具体的な制御方法は、種々の変形が可能である。例えばダイジェスト再生中に、ダイジェストキーをＯＦＦすることによってダイジェスト再生を終了できる。また、ダイジェスト再生中、気に入った曲があった場合には、エンターキーをＯＮとし、エンターキーがＯＮとされた曲のみをダイジェスト再生の終了後から、再生するようにしても良い。
【００７１】
また、上述した実施例では、ＣＤのＴＯＣがプログラム管理領域であるが、媒体が例えばテープの場合では、プログラム管理領域がテープの始端部分に記録されるように、記録媒体に応じたプログラム管理領域が設けられる。さらに、上述の一実施例では、サブコードとして、テキスト情報を記録しているが、テキスト情報を併せて記録する必要はない。よりさらに、この発明は、ＣＤ等の再生専用の記録媒体に限らず、記録も可能な記録媒体、再生専用領域と記録可能領域との両者を有する記録媒体に対しても適用することができる。
【図面の簡単な説明】
【００７２】
【図１】この発明の一実施例におけるサブコードのデータフォーマットを全体的に示す略線図である。
【図２】Ｒ乃至Ｗチャンネルにグラフィック情報を記録する既存のＣＤのデータフォーマットおよびこのデータフォーマットにおけるシンボルを説明する略線図である。
【図３】この発明の一実施例のデータフォーマットの１パックおよび１シンボルを示す略線図である。
【図４】この発明の一実施例のデータフォーマットの割り付けを示す略線図である。
【図５】この発明の一実施例における識別情報の一つであるＩＤ１を説明する略線図である。
【図６】ＩＤ１で示されるデータの内容を示す図である。
【図７】他の識別情報であるＩＤ２を説明する略線図である。
【図８】ＩＤ３を説明する略線図である。
【図９】ＩＤ４を説明する略線図である。
【図１０】サイズ情報を示すパックのデータ構成を示す略線図である。
【図１１】サイズ情報のパックにおけるテキストバイトを説明する略線図である。
【図１２】楽章毎の曲名を示すパックのデータ構造を示す略線図である。
【図１３】楽章毎の曲名を示すパックのデータ構造をより具体的に示す略線図である。
【図１４】ダイジェスト管理情報が記録されたパックのデータ構造をより具体的に示す略線図である。
【図１５】この発明による再生装置の一実施例の構成を示すブロック図である。
【図１６】この発明の一実施例におけるダイジェスト再生動作を説明するためのフローチャートである。
【図１７】従来の音楽再生用ＣＤの領域を示す略線図である。
【図１８】従来のディスク再生装置の要部を示すブロック図である。
【図１９】１フレームのデータを示す略線図である。
【図２０】サブコードフレーム全体のデータ構造を説明する略線図である。
【図２１】サブコード信号の全チャンネルのデータを示す略線図である。
【符号の説明】
【００７３】
１  ＩＤ領域
２  テキスト領域
３  ＣＲＣ領域
４  パック
５  パケット
４２  光学ピックアップ
４５  信号処理回路
５１  サブコード分離回路
５４  サブコード処理回路
５８  文字表示部
６６  ディスク識別回路
【図１】
2004342312.tif 000003
【図２】
2004342312.tif 000004
【図３】
2004342312.tif 000005
【図４】
2004342312.tif 000006
【図５】
2004342312.tif 000007
【図６】
2004342312.tif 000008
【図７】
2004342312.tif 000009
【図８】
2004342312.tif 000010
【図９】
2004342312.tif 000011
【図１０】
2004342312.tif 000012
【図１１】
2004342312.tif 000013
【図１２】
2004342312.tif 000014
【図１３】
2004342312.tif 000015
【図１４】
2004342312.tif 000016
【図１５】
2004342312.tif 000017
【図１６】
2004342312.tif 000018
【図１７】
2004342312.tif 000019
【図１８】
2004342312.tif 000020
【図１９】
2004342312.tif 000021
【図２０】
2004342312.tif 000022
【図２１】
2004342312.tif 000023